(57)【要約】【課題】携帯して使用するデジタルカメラを撮影場所を固定して撮影するときに、簡単に撮影場所に合った撮影条件に設定する。【解決手段】デジタルカメラ１がカメラ保持装置２０に装着されると、カメラ保持装置２０のＩＤ情報により指定された撮影条件がデジタルカメラ１の条件テーブル１１ａから自動的に選択される。そして、選択された撮影条件によりデジタルカメラ１がカメラ保持装置２０を設置した場所から撮影を行う。【選択図】　図１
2004072246.tif 000002
【特許請求の範囲】
【請求項１】
所定の場所に設置されたカメラ保持装置に、持ち運び可能なデジタルカメラを装着して撮影を行う撮影システムにおいて、
前記カメラ保持装置が、設置された場所において撮影するときの撮影条件を指定するＩＤ情報を備え、
前記デジタルカメラが、
前記ＩＤ情報と前記撮影条件とを関連づけして記憶した条件テーブルと、
前記カメラ保持装置に装着されたときに該カメラ保持装置の前記ＩＤ情報を検出する検出手段と、
前記条件テーブルの中から、前記検出手段により検出された前記ＩＤ情報に対応する前記撮影条件を選択する撮影条件選択手段と
を備えたものであることを特徴とする撮影システム。
【請求項２】
前記カメラ保持装置が、複数の前記ＩＤ情報の中から一の前記ＩＤ情報を設定するＩＤ設定手段を備えたものであることを特徴とする請求項１に記載の撮影システム。
【請求項３】
前記デジタルカメラが、撮影された画像を外部装置に送信し、該外部装置から送信された前記撮影条件を受信する送受信手段と、受信した前記撮影条件を用いて前記条件テーブルを作成する条件テーブル作成手段とを備えたものであることを特徴とする請求項１または請求項２に記載の撮影システム。
【請求項４】
前記撮影条件が、撮影された画像をトリミングする範囲情報を含むものであることを特徴とする請求項１から請求項３のいずれかに記載の撮影システム。
【請求項５】
所定の場所に設置され、設置された場所において撮影するときの撮影条件を指定するＩＤ情報を備えたカメラ保持装置に装着可能な、持ち運びすることができるデジタルカメラであって、
前記ＩＤ情報と前記撮影条件とを関連づけして記憶した条件テーブルと、
前記カメラ保持装置から該ＩＤ情報を検出する検出手段と、
前記条件テーブルの中から、前記検出手段により検出された前記ＩＤ情報に対応する前記撮影条件を選択する撮影条件選択手段と、
選択された前記撮影条件を用いて撮影を行うように制御する制御手段と
を備えたことを特徴とするデジタルカメラ。
【請求項６】
前記制御手段が、前記カメラ保持装置に装着された状態で撮影された画像を、無線によりデータの送受信を行う送受信手段から外部装置に送信するように制御するものであることを特徴とする請求項５に記載のデジタルカメラ。
【請求項７】
前記制御手段が、前記カメラ保持装置から取り外したときに自由に設定された撮影条件により撮影を可能にするものであることを特徴とする請求項５または請求項６に記載のデジタルカメラ。
【発明の詳細な説明】
【０００１】
【発明の属する技術分野】
本発明は、持ち運び可能なデジタルカメラを用いた撮影システムおよびこれに用いるデジタルカメラに関するものである。
【０００２】
【従来の技術】
近年、ＣＣＤ素子等を用いたデジタルカメラは小型化、軽量化されて、ユーザは様々な場所にデジタルカメラを携帯して撮影を行うことができるようになっている。また、デジタルカメラは撮影する際の環境に合わせて撮影条件を設定することができ、ユーザはシャッタースピード、ズーム倍率、感度、画素数等の撮影条件を撮影環境に合わせて設定して撮影を行う。このように、撮影環境に最適な撮影条件に設定することにより、高画質な画像を取得することができる。
【０００３】
【発明が解決しようとする課題】
ところで、デジタルカメラは監視カメラまたはインターネット上に送信する風景を撮影したり天体観測を行ったりするための定点カメラとしても使用されている。上述した携帯用のデジタルカメラを監視カメラ等と兼用することができれば、携帯用デジタルカメラ用と監視カメラ用との２つのデジタルカメラを用意する必要がなく便利である。携帯用のデジタルカメラを監視カメラ等と兼用する場合であっても、監視カメラ等として使用するときに高品質の画像を得るためには撮影条件を設置場所に合わせて設定して撮影を行う必要がある。
【０００４】
しかし、携帯用のデジタルカメラとして使用した後に監視カメラ等として使用する場合、携帯時の撮影条件から監視カメラ時の撮影条件に変更しなければならず、撮影条件の設定作業が煩わしいという問題がある。すなわち、撮影場所を固定して撮影を行う場合、撮影条件はある程度定まったものとなるが、携帯して使用する際に撮影条件を変更した後に監視カメラ等として使用するときは、その都度同じ撮影条件に戻す必要があり、兼用する際の使い勝手が悪いという問題がある。
【０００５】
そこで、本発明は、持ち運び可能なデジタルカメラを一定の場所に固定して撮影するときに、簡単に撮影条件の設定を行うことができるデジタルカメラを提供することを目的とするものである。
【０００６】
【課題を解決するための手段】
本発明の撮影システムは、所定の場所に設置されたカメラ保持装置に、持ち運び可能なデジタルカメラを装着して撮影を行う撮影システムにおいて、前記カメラ保持装置が、設置された場所において撮影するときの撮影条件を指定するＩＤ情報を備え、前記デジタルカメラが、前記ＩＤ情報と前記撮影条件とを関連づけして記憶した条件テーブルと、前記カメラ保持装置に装着されたときに該カメラ保持装置の前記ＩＤ情報を検出する検出手段と、前記条件テーブルの中から、前記検出手段により検出された前記ＩＤ情報に対応する前記撮影条件を選択する撮影条件選択手段とを備えたものであることを特徴とするものである。
【０００７】
本発明のデジタルカメラは、所定の場所に設置され、設置された場所において撮影するときの撮影条件を指定するＩＤ情報を備えたカメラ保持装置に装着可能な、持ち運びすることができるデジタルカメラであって、前記ＩＤ情報と前記撮影条件とを関連づけして記憶した条件テーブルと、前記カメラ保持装置から該ＩＤ情報を検出する検出手段と、前記条件テーブルの中から、前記検出手段により検出された前記ＩＤ情報に対応する前記撮影条件を選択する撮影条件選択手段と、選択された前記撮影条件を用いて撮影を行うように制御する制御手段とを備えたことを特徴とするものである。
【０００８】
ここで、「撮影条件」は、撮影する際の条件のみならず撮影して取得した画像の処理条件も含むものであって、撮影した画像のうちトリミングする範囲情報を含んでいるものであってもよい。
【０００９】
なお、「カメラ保持装置」は、固有のＩＤ情報を有するものであってもよいし、複数のＩＤ情報の中から一のＩＤ情報を設定するＩＤ設定手段を設けることによりＩＤ情報を変更できるものであってもよい。
【００１０】
また、「デジタルカメラ」は、撮影した画像を記憶媒体に外部装置に送信し、外部装置から送信された撮影条件を送受信手段により受信する送受信手段と、受信した撮影条件を用いて条件テーブルを作成するテーブル作成手段とを備えたものであってもよい。このとき、デジタルカメラの制御手段は、カメラ保持装置に装着された状態で撮影された画像を、無線によりデータの送受信を行う送受信手段から外部装置に送信するように制御するものであってもよい。
【００１１】
さらに、「デジタルカメラ」は、カメラ保持装置から取り外したときに自由に設定された撮影条件による撮影を可能にし、カメラ保持装置に装着されたときには撮影条件選択手段により選択された撮影条件を用いて撮影を行うように制御する制御手段を有するものが含まれることは勿論である。
【００１２】
【発明の効果】
本発明の撮影システムおよびデジタルカメラによれば、デジタルカメラがカメラ保持装置に装着されたときにカメラ保持装置のＩＤ情報を検出して、撮影条件選択手段が条件テーブルの中から検出されたＩＤ情報に対応する撮影条件を選択することにより、持ち運び可能なデジタルカメラをカメラ保持装置に固定して撮影する際にユーザが改めて撮影条件を設定する必要がなくなり、多様な撮影条件の設定に対応することができる。
【００１３】
なお、カメラ保持装置に複数のＩＤ情報の中から一のＩＤ情報を設定するＩＤ設定手段を設けることにより、たとえば昼と夜のように撮影する場所が同一であって撮影条件が異なる場合であっても、ユーザによりＩＤ設定手段を変更すれば撮影条件を簡単に変えることができるため、撮影条件の設定作業をさらに効率よく行うことができる。
【００１４】
また、デジタルカメラが撮影された画像を外部装置に送信し、外部装置から送信された撮影条件を受信する送受信手段と、受信した撮影条件を用いて条件テーブルを作成するテーブル作成手段とを備えることにより、外部装置において撮影した画像を見ながら撮影条件を設定することができ、カメラ保持装置が設置された場所における撮影条件を最適な設定にすることができる。
【００１５】
さらに、カメラ保持装置から取り外したときには撮影条件の自由な設定を可能にし、カメラ保持装置に装着されたときには撮影条件選択手段により選択された撮影条件を用いて撮影を行うようにすることにより、携帯して使用する場合と固定した場所において撮影する場合との利便性を両立することができる。
【００１６】
【発明の実施の形態】
図１は本発明の撮影システムの好ましい実施の形態を示す斜視図であり、図１を参照して撮影システム１００について説明する。図１の撮影システム１００のデジタルカメラ１は、持ち運び可能な携帯用デジタルカメラであって、ユーザが様々な場所に持ち運んで撮影を行うことができるものである。そして、デジタルカメラ１がカメラ保持装置２０に装着されると、監視カメラもしくは定点カメラ等の場所を固定して撮影するものとなる。また、デジタルカメラ１は、パーソナルコンピュータ等からなる外部装置３０とデータの送受信が可能な状態になっており、たとえば撮影した画像を外部装置３０側に送信して記憶させることができる。
【００１７】
カメラ保持装置２０はたとえば部屋の入口を撮影できる場所や建物を撮影できる場所等の所定の場所に設置されている。図１においては、カメラ保持装置２０がたとえば２つ用意されており、デジタルカメラ１をいずれかのカメラ保持装置２０に装着すればカメラ保持装置２０の位置から撮影が行われる。なお、図１の撮影システム１００において、カメラ保持装置２０は２つ設置された場合について例示しているが、１つであってもよいし２つ以上の多数であってもよい。
【００１８】
このように、同時に画像を取得する必要がない場合であって複数の場所においてデジタルカメラ１を固定して撮影したい場合には、各場所毎にそれぞれデジタルカメラ１を用意する必要がない。よって、ユーザは複数台のデジタルカメラ１を購入する必要がなく、経済的負担の軽減を図ることができる。
【００１９】
すなわち、監視カメラ等のように複数の場所を同時に撮影したいときには、複数のデジタルカメラが必要となる。しかし、ユーザにおいて必ずしも複数の場所を同時に撮影したいというニーズばかりではなく、たとえば異なる日毎に撮影場所を変えて撮影を行えればよいケースがある。このとき、上述したように各撮影場所にカメラ保持装置２０を設置しておけば、所定のカメラ保持装置２０にデジタルカメラ１を装着するだけで、撮りたい場所で撮りたいときに撮影を行うことができるようになる。
【００２０】
このカメラ保持装置２０はカメラ保持手段２１と電源ケーブル２２とを有し、カメラ保持手段２１はたとえばデジタルカメラ１を収容する中空部を有する。電源ケーブル２２はカメラ保持手段２１に取り付けられており、電源ケーブル２２を用いてデジタルカメラ１の充電が行われる。
【００２１】
図２は本発明のデジタルカメラの好ましい実施の形態を示すブロック図であり、図２を参照してデジタルカメラ１について説明する。デジタルカメラ１は、たとえばＣＣＤ素子等からなる撮像部２、撮影した画像を処理する画像処理部３、画像を表示する表示部４、画像を記憶する記憶媒体５、外部装置３０とデータの送受信を行うデジタルカメラ１は送受信手段６、カメラ保持装置２０側の給電端子２５と電気的に接続することによりデジタルカメラ１の充電を行う給電端子８等を有する。ここで、送受信手段６は、無線ＬＡＮを用いて無線でデータの送受信を行うものや、ＵＳＢケーブルを接続して有線でデータの送受信を行うものからなっている。
【００２２】
また、デジタルカメラ１は、検出手段７、制御手段１０、撮影条件選択手段１１、条件テーブル作成１２等を有する。検出手段７は、デジタルカメラ１がカメラ保持装置２０に装着されたことを検出し、カメラ保持装置２０に付されたＩＤ情報を取得する機能を有する。
【００２３】
ここで、カメラ保持装置２０にはそれぞれＩＤ情報が付されており、ＩＤ出力端子２４からＩＤ情報が出力されるようになっている。さらに、このＩＤ情報はたとえばダイヤルやディップスイッチ等からなるＩＤ設定手段２３により設定されるものである。具体的には、たとえばＩＤ情報が「１」〜「５」までのＩＤ番号からなり、ユーザがＩＤ設定手段２３を操作することにより、所定のＩＤ番号に設定される。そして、検出手段７はＩＤ出力端子２４からＩＤ情報を受け取り撮影条件選択手段１１に送る。なお、カメラ保持装置２０にＩＤ設定手段２３を設けた場合について例示しているが、カメラ保持装置２０が１つだけ固有のＩＤ情報を有していてもよい。
【００２４】
制御手段１０はデジタルカメラ１を構成する撮像部２、画像処理部３等の動作を制御するものであって、制御手段１０の指令により、撮像部２による撮影が行われて画像を取得することとなる。ここで、撮影する際の撮影条件ＳＣは、撮影条件選択手段１１から送られたものが用いられる。
【００２５】
撮影条件選択手段１１は、ＩＤ情報と撮影条件ＳＣとを関連づけして記憶した条件テーブル１１ａと接続されており、検出手段７から送られるＩＤ情報に対応した撮影条件ＳＣを選択して制御手段１０に出力するようになっている。すなわち、カメラ保持装置２０のＩＤ情報は、設置された場所において撮影するときの撮影条件ＳＣを指定するように機能する。
【００２６】
具体的には、撮影条件ＳＣは、たとえば画素数、ズーム倍率、感度設定、露光条件等の撮影する際の条件の他に、取得した画像についての画像処理条件、たとえば解像度やトリミングする範囲情報等を有する。具体的には、カメラ保持装置２０が図３（ａ）のような画像を取得するような場所に設置された場合であって、カメラ保持装置２０のＩＤ情報が「１」であるとする。この場合、トリミング範囲が設定されて取得する画像の画素数が１６００×１２００になるように設定される。また、撮影シーンモードが「近景」に設定されて、それに対応したズーム倍率、感度、露光条件等が設定される。
【００２７】
一方、カメラ保持装置２０が図３（ａ）のような画像を取得するような場所に設置された場合であって、カメラ保持装置２０のＩＤ情報が「２」であるとする。この場合、光学系はワイド端であって、トリミングする範囲情報は設定されておらず取得する画像全体の画素数が６４０×４８０に設定される。また、撮影シーンモードが「風景」に設定されて、それに対応したズーム倍率、感度、露光条件等が設定される。
【００２８】
このように、デジタルカメラ１をカメラ保持装置２０に装着しただけで、撮影条件ＳＣが設定されることとなり、ユーザの利便性を向上させることができる。すなわち、デジタルカメラ１を固定して撮影する場合には、携帯して使用するデジタルカメラ１と異なり撮影条件がある程度決まっているため、撮影条件ＳＣを頻繁に変更する必要はない。この性質を利用して、各カメラ保持装置２０毎にＩＤ情報を用いてそれぞれ撮影条件ＳＣを設定する。すると、デジタルカメラ１を携帯して使用した後に固定した場所において撮影する場合には、即座にその撮影場所に合った撮影条件ＳＣに設定することができる。
【００２９】
なお、制御手段１０は、デジタルカメラ１がカメラ保持装置２０から取り外されたときに自由な撮影条件ＳＣの設定を可能にするように制御する。一方、デジタルカメラ１がカメラ保持装置２０に装着されたときには撮影条件選択手段１１により選択された撮影条件ＳＣを用いて撮影を行うように制御する。これにより、持ち運びをして使用する際にも最適な撮影条件ＳＣで撮影を行うことができるとともに、固定して撮影する際には最適な撮影条件ＳＣを自動的に選択してユーザの撮影条件設定作業を省略することができるようになる。
【００３０】
条件テーブル作成手段１２は以下に示すように、外部装置３０において設定された撮影条件ＳＣを送受信手段６から受け取り、条件テーブル１１ａを作成する機能尾を有している。具体的には、図４は、デジタルカメラ１に条件テーブル１１ａを記憶させる一例を示すフローチャート図であり、図４を参照して条件テーブル１１ａの作成（撮影条件ＳＣの初期設定）について説明する。
【００３１】
まず、ユーザがデジタルカメラ１を撮影を行いたい場所に設置されたカメラ保持装置２０に装着する（ステップＳＴ１）。すると、カメラ保持装置２０のＩＤ情報が検出手段７により検出されて条件テーブル作成手段１２に送られる（ステップＳＴ２）。
【００３２】
この状態で、デジタルカメラ１による撮影が行われて、撮影された画像が送受信手段６を介して外部装置３０に送られる。すると、外部装置３０の表示部に画像が表示されて、ユーザは表示された画像を見ながら撮影条件ＳＣを設定する（ステップＳＴ３）。その後、設定された撮影条件ＳＣが外部装置３０から送受信手段６を介して条件テーブル作成手段１２に送られる。条件テーブル作成手段１２において、ＩＤ情報と関連づけした撮影条件ＳＣを記憶した条件テーブル１１ａが作成される（ステップＳＴ４）。
【００３３】
このように、撮影条件ＳＣの設定を外部装置３０により行うことにより、カメラ保持装置２０の設置場所から撮影するのに最適な撮影条件ＳＣを設定することができる。すなわち、デジタルカメラ１は携帯できるように小型化されており、それに伴いデジタルカメラ１の表示部４も小さくなっている。よって、デジタルカメラ１の表示部４を見ながら撮影条件ＳＣを設定するよりも、パーソナルコンピュータ等からなる外部装置３０の表示部４で画像を見ながら撮影条件ＳＣを設定する方が、最適な撮影条件ＳＣの設定を行うことができる。
【００３４】
図５は、デジタルカメラ１の動作例を示すフローチャート図であり、図１から図５を参照してデジタルカメラ１の動作例について説明する。まず、ユーザがデジタルカメラ１をカメラ保持装置２０に装着する（ステップＳＴ１０）。すると、検出手段７によりＩＤ情報が検出されて、撮影条件選択手段１１によりＩＤ情報に対応した撮影条件ＳＣが設定される（ステップＳＴ１１）。その後、設定された撮影条件ＳＣにより撮影が行われて（ステップＳＴ１２）、画像Ｐが送受信手段６から外部装置３０に送信され記憶される。
【００３５】
その後、外部装置３０から撮影トリガー信号ＳＴｒがあるまで、デジタルカメラ１は待機モードになり充電が行われる（ステップＳＴ１３、ステップＳＴ１４）。一方、外部装置３０から撮影トリガー信号ＳＴｒが送信されると、撮影が行われて画像が外部装置３０に送信される（ステップＳＴ１２〜ステップＳＴ１４）。
【００３６】
上記実施の形態によれば、持ち運び可能な携帯用デジタルカメラ１を監視カメラ等として使用する場合に、デジタルカメラ１をカメラ保持装置２０に装着すれば最適な撮影条件ＳＣに設定されるため、ユーザが改めて撮影条件ＳＣを設定する必要がなく、デジタルカメラ１を携帯用および固定撮影用として兼用する際の利便性を向上させることができる。
【００３７】
また、カメラ保持装置に複数のＩＤ情報の中から一のＩＤ情報を設定するＩＤ設定手段２３を設けることにより、たとえば昼と夜のように撮影する場所が同一であって撮影条件ＳＣが異なる場合であっても、ユーザによりＩＤ設定手段２３を変更すれば撮影条件ＳＣを簡単に変えることができるため、撮影条件ＳＣの設定作業をさらに効率よく行うことができる。
【００３８】
さらに、送受信手段６により撮影された画像Ｐを外部装置３０に送信し、外部装置３０から送信された撮影条件ＳＣを受信して、受信した撮影条件ＳＣを用いて条件テーブルを作成することにより、外部装置３０において撮影した画像を見ながら撮影条件を設定可能になり、カメラ保持装置２０が設置された場所における撮影条件ＳＣを最適な設定にすることができる。
【００３９】
本発明の実施の形態は、上記実施の形態に限定されない。たとえば、上記実施の形態においてデジタルカメラ１側に送受信手段６を設けた場合について例示しているが、カメラ保持装置２０が外部装置３０とデータ転送可能なグレードルであって、デジタルカメラ１がカメラ保持装置２０を介してデータの送受信を行うようにしてもよい。
【００４０】
また、図４において、条件テーブル１１ａがデジタルカメラ１側に記憶される場合について例示しているが、条件テーブル１１ａが外部装置３０側に記憶されていてもよい。この場合、検出されたＩＤ情報がデジタルカメラ１から外部装置３０に送信されて、外部装置３０から送受信手段６を介して制御手段１０に送られる。そして、撮影する際の撮影条件ＳＣとして送信された撮影条件ＳＣが用いられることになる。
【００４１】
さらに、図２のＩＤ情報設定手段２３は、ダイヤル等からなる場合について例示しているが、ＩＤ情報を記憶したメモリからなっていてもよい。この場合、検出手段がメモリに記憶されたＩＤ情報を読み取ることになる。さらに、このメモリにはＩＤ情報として撮影条件ＳＣ自体が記憶されており、検出手段７が記憶された撮影条件ＳＣを読み取り、その撮影条件ＳＣにより撮影を行うようにしてもよい。
【００４２】
また、上記実施の形態において、静止画を撮影するデジタルカメラ１について例示しているが、動画を撮影するデジタルカメラについても適用することができる。この場合、図５に示す撮影トリガー信号ＳＴｒが出力されなくても、カメラ保持装置２０に装着されれば、所定の撮影条件ＳＣにより撮影し続ける。
【図面の簡単な説明】
【図１】本発明の撮影システムの好ましい実施の形態を示す模式図
【図２】本発明のデジタルカメラの好ましい実施の形態を示すブロック図
【図３】図２のデジタルカメラにおいて、設定された撮影条件に基づいて撮影された画像の一例を示す平面図
【図４】図２のデジタルカメラにおける撮影条件の初期設定の方法を示すフローチャート図
【図５】図２のデジタルカメラの動作例を示すフローチャート図
【符号の説明】
１　　　デジタルカメラ
６　　　送受信手段
７　　　検出手段
１０　　制御手段
１１　　撮影条件選択手段
１１ａ　条件テーブル
１２　　条件テーブル作成手段
２０　　カメラ保持装置
３０　　外部装置
１００　撮影システム
Ｐ　　　画像
ＳＣ　　撮影条件
【図１】
2004072246.tif 000003
【図２】
2004072246.tif 000004
【図３】
2004072246.tif 000005
【図４】
2004072246.tif 000006
【図５】
2004072246.tif 000007